(57)【特許請求の範囲】
【請求項１】
穴を形成する支持面に細長い部材を保持するように構成された取付アセンブリであって、
前記支持面に接触するように構成された頭部と、前記頭部から延在し、前記穴内に受け入れられるように構成されたスタッド部と、を有するポリマー材料から形成されるマウント部材と、
金属材料から形成され、前記スタッド部に取り付けられ、前記スタッド部とともに前記穴内に受け入れられるように構成されたクリップ部材と
を備え、
前記クリップ部材は、弓状部と、一対の延在アームと、を形成し、
前記一対の延在アームの各々のアームは、分岐した先端を備え、
前記分岐した先端は、前記穴の壁部内に進入するように構成された進入歯と、前記穴の前記壁部内への前記進入歯の進入を制限するように構成された制限ショルダと、を備える
取付アセンブリ。
【請求項２】
請求項１に記載の取付アセンブリであって、
前記スタッド部は、前記頭部から下方に向けて延在する
取付アセンブリ。
【請求項３】
請求項２に記載の取付アセンブリであって、
前記マウント部材の前記頭部は、
細長い結び部を受け入れるように構成されたスロットと、
前記細長い結び部が前記スロットを通って固定された状態で、束を支持するように構成された上面と、
周方向に延在するフランジと
を備える、取付アセンブリ。
【請求項４】
請求項３に記載の取付アセンブリであって、
前記頭部は、六角形の形状を有する
取付アセンブリ。
【請求項５】
請求項２に記載の取付アセンブリであって、
さらに、前記頭部から下方に向けて延在するダイヤフラムスプリングを有するスプリング部を備える
取付アセンブリ。
【請求項６】
請求項５に記載の取付アセンブリであって、
前記スタッド部は、前記スタッド部の長さ方向寸法と同じように延在する中央部を備え、
前記中央部は、前記クリップ部材と結合係合するように構成されたマウント開口を備える
取付アセンブリ。
【請求項７】
請求項６に記載の取付アセンブリであって、
前記一対の延在アームの各アームは、前記中央部から離れる方向に角度付けられている
取付アセンブリ。
【請求項８】
請求項７に記載の取付アセンブリであって、
前記クリップ部材は、さらに、内向きに角度付けられた係止タブを有する少なくとも１つの取付ウィンドウを備え、
前記取付ウィンドウおよび前記係止タブは、前記マウント開口と係合するように構成された
取付アセンブリ。
【請求項９】
請求項１に記載の取付アセンブリであって、
前記制限ショルダは、前記穴と平行な向きを有するように配置され、
前記進入歯は、前記穴および前記制限ショルダに対して角度付けられた向きを有するように配置された
取付アセンブリ。
【請求項１０】
請求項９に記載の取付アセンブリであって、
前記進入歯は、前記制限ショルダに対して鋭角を形成する
取付アセンブリ。
【請求項１１】
請求項１に記載の取付アセンブリであって、
前記制限ショルダは、直立位置に傾けられ、
前記進入歯は、前記穴に係合するために角度付けられた
取付アセンブリ。
【請求項１２】
細長いスタッド部を有するマウント部材と係止係合するように構成されたクリップ部材であって、
前記スタッド部は前記マウント部材から延在し、
前記クリップ部材および前記スタッド部は、支持面の穴内に同時に受け入れられるように構成され、
前記クリップ部材は、
弓状部と、
一対の延在アームと
を備え、
前記一対の延在アームの各アームは、分岐した先端を備え、
前記分岐した先端は、前記穴の壁部内に進入するように構成された進入歯と、前記穴の前記壁部内への前記進入歯の進入を制限するように構成された制限ショルダと、を備え
前記クリップ部材は、金属材料から形成された
クリップ部材。
【請求項１３】
請求項１２に記載のクリップ部材であって、
内向きに角度付けられた係止タブを有する少なくとも１つの取付ウィンドウをさらに備える
クリップ部材。
【請求項１４】
請求項１２に記載のクリップ部材であって、
前記制限ショルダは、前記穴と平行な向きを有するように配置され、
前記進入歯は、前記穴および前記制限ショルダに対して角度付けられた向きを有するように配置された
クリップ部材。
【請求項１５】
請求項１４に記載のクリップ部材であって、
前記進入歯は、前記制限ショルダに対して鋭角を形成する
クリップ部材。
【請求項１６】
請求項１２に記載のクリップ部材であって、
前記制限ショルダは、直立位置に傾けられ、
前記進入歯は、前記穴に係合するために角度付けられた
クリップ部材。
【発明の詳細な説明】
【技術分野】
【０００１】
本願は、２０１５年８月２５日に出願された「止まり穴マウント」との表題の係属中の米国仮特許出願第６２／２０９，５６８号の利益を主張する。
【０００２】
本発明は、概して、束ねられた細長い物（例えば、ワイヤ、ケーブル、ホース、チューブ、光学繊維、電線管、つるなど）を支持構造へ固定するためのハードウェアに関する。より具体的には、本発明は、止まり穴すなわち凹穴を有する支持面へデバイスを固定するためのクリップ要素を備える取付構造に関する。
【背景技術】
【０００３】
多くの用途では、物品を固定して束にするだけで十分である。そのような用途には、例えば、１つの場所に留まるとともに使用時にほとんどまたは全く振動にさらされない固定電子装置が含まれ得る。他の用途では、物品を固定して束にするだけでなく、結果として得られる束を支持構造またはフレームワークに固定することも必要になるか、あるいは、望ましい。そのような用途は、例えば、車、トラック、航空機、船舶、ボート、および、束がぶつかったり振動にさらされたりする可能性が高い他の車両においても共通する。振動が重要な考慮事項にならないことがある他の用途（例えば、ビル）では、ケーブル、ホース、チューブ、様々な構成部品などを固定構造に固定して経路設定することが依然として望ましい。そのような支持構造は、束の取り付けを可能にするために貫通穴を備えていてもよいし、あるいは、凹穴を備えていてもよい。さらに、ある用途では、支持面から束を取り除くことが必要になる場合がある。したがって、必要に応じてマウントを取り外す能力を保持しつつ最初に束を固定位置に固定することが望まれる。
【０００４】
多くの留め具は、支持面の凹穴に適用されるときに、頑丈なグリップを提供する効率的で強固な保持構造を提供しない。以前の留め具は、性能改善の余地を残している。そのような留め具は、束にされた物品を適切に支持するための支持面に対して十分な保持や密着を提供しない場合がある。同様に、そのような留め具は、必要な取付スタッドよりも長いものを使用する場合があり、また、支持面内に容易に挿入できない場合があり、あるいは、凹穴からあまりにも容易に引き出され、それによって十分な信頼性に欠けることがある。本発明は、これらの問題を解決するために、改善された性能を有する固定・経路設定留め具を提供する。
【発明の概要】
【課題を解決するための手段】
【０００５】
本発明は、束ねられた物品を支持面に当接してしっかりと支持するための改善された取付アセンブリを提供する。支持面は、凹穴を有している。アセンブリは、頭部と、頭部から下方に向けて延在するスタッド部と、を有するマウント部材を備えている。頭部は、物品を束ねるための可撓性結び部と相互作用する開口またはスロットを備えている。可撓性結び部は、アセンブリと一体的に形成されていてもよく、あるいは、別体品として提供されてもよい。開口またはスロットは、好ましくは、当接部を備えている。当接部は、結束中に可撓性結び部の後部が開口内に挿入されるときに可撓性結び部のための摩擦力を提供する。
【０００６】
アセンブリは、さらに、マウント部材のスタッド部に取り付けられたクリップ部材を備えている。クリップ部材は、スタッドと係合するための複数のウィンドウと、凹穴に係合し、アセンブリが軸線方向に引き出されることを防止するための少なくとも１つの延在アーム部と、を備えていてもよい。代替的に、クリップ部材は、スタッドと係合するため、および、凹穴と係合し、アセンブリが軸線方向に引き出されることを防止するために、複数の係合返しを備えていてもよい。代替的に、クリップ部材は、分岐端を有する延長アーム部を備えていてもよい。
【０００７】
また、本発明は、頭部から下方に向けて延在するダイヤフラムスプリングを備えていてもよい。ダイヤフラムスプリングは、取付スタッドが支持面内に挿入されたときにテンションと抵抗とを提供する。本発明による取付アセンブリは、上述の特徴の任意の組み合わせを備えていてもよい。
【図面の簡単な説明】
【０００８】
【図１】本発明によるアセンブリの斜視図であり、頭部においてケーブル結び部が適所に配置されたマウント部材およびクリップ部材を示している。
【図２】図１に示されるアセンブリの斜視図である。
【図３】図１および図２に示されるアセンブリの他の斜視図である。
【図４】図１〜３に示されるアセンブリとともに使用するためのクリップ部材の斜視図である。
【図５】図４に示されるクリップ部材の正面図である。
【図６】図４に示されるクリップ部材の側面図である。
【図７】図２に示される取付アセンブリの線７−７に沿った断面図である。
【図８】図７の取付アセンブリと類似の図であるが、クリップ部材がマウント部材から取り外されている状態を示している。
【図９】図７および図８の取付アセンブリと類似の図であるが、クリップ部材がマウント部材のスタッド部に設置されている状態を示している。
【図１０】図７〜９の取付アセンブリと類似の図であるが、クリップ部材とマウント部材とが、使用準備ができたアセンブリと接合された状態を示している。
【図１１】図１０の取付アセンブリと類似の図であるが、アセンブリが使用のために凹穴内に位置決めされている状態を示している。
【図１２】図１１の取付アセンブリと類似の図であるが、アセンブリが凹穴内に位置決めされ、使用準備ができた状態を示している。
【図１３】図１２の取付アセンブリと類似の図であるが、アセンブリが凹穴から取り除かれている状態を示している。
【図１４】本発明による他のアセンブリの斜視図であり、クリップ部材と、代替的なマウント要素と、を示している。
【図１５】本発明による他のアセンブリの斜視図であり、頭部においてケーブル結び部が適所に配置されたマウント部材およびクリップ部材を示している。
【図１６】図１５に示されたアセンブリの斜視図である。
【図１７】図１５および図１６に示されたアセンブリの他の斜視図である。
【図１８】図１５〜１７に示されたアセンブリとともに使用するためのクリップ部材の斜視図である。
【図１９】図１８に示されたクリップ部材の正面図である。
【図２０】図１８に示されたクリップ部材の側面図である。
【図２１】図１６に示されたアセンブリの線２１−２１に沿った断面図である。
【図２２】図２１のアセンブリと類似の図であるが、クリップ部材がマウント部材から取り外されている状態を示している。
【図２３】図２１および図２２のアセンブリと類似の図であるが、クリップ部材がマウント部材に設置されている状態を示している。
【図２４】図２１〜２３のアセンブリと類似の図であるが、クリップ部材とマウント部材とが接合され、アセンブリの使用準備ができた状態を示している。
【図２５】図２４のアセンブリと類似の図であるが、取付アセンブリが使用のために凹穴内に位置決めされている状態を示している。
【図２６】図２５のアセンブリと類似の図であるが、取付アセンブリが凹穴内に位置決めされ、使用準備ができた状態を示している。
【図２７】図２６のアセンブリと類似の図であるが、取付アセンブリが凹穴から取り除かれている状態を示している。
【図２８】本発明による他の取付アセンブリの分解図であり、代替のクリップ部材と、代替の頭部と、を備えている。
【図２９】本発明による他の取付アセンブリの斜視図であり、代替の頭部を有するマウント部材とともに、図２８に示されるクリップ部材を示している。
【図３０】本発明による他の取付アセンブリの斜視図であり、代替の頭部を有するマウント部材と、図２８に示されるクリップ部材と、を示している。
【図３１】取付アセンブリとともに使用するための他のクリップ部材の斜視図である。
【図３２】図３１に示されるクリップ部材の側面図である。
【図３３】本発明による他の取付アセンブリの斜視図であり、代替のクリップ部材と、代替の頭部を有するマウント部材と、を示している。
【図３４】図３３に示されるアセンブリの上面図であり、スタッド部およびクリップ部材を透視で示している。
【図３５】図３３に示されるマウント部材の斜視図である。
【図３６】図３３に示されるクリップ部材の斜視図である。
【図３７】図３６に示されるクリップ部材の側面図である。
【図３８】図３４の線３８−３８に沿ったアセンブリの断面図であり、アセンブリが使用のために凹穴内に位置決めされている状態を示している。
【図３９Ａ】図３８のアセンブリと類似の図であるが、アセンブリが使用のために凹穴内に位置決めされた状態を示している。
【図３９Ｂ】図３９Ａのアセンブリと類似の図であるが、アセンブリが使用のために、テーパ状の側面を有する凹穴内に位置決めされた状態を示している。
【図４０】図３９Ａの線４０−４０に沿ったアセンブリの断面図である。
【図４１Ａ】図４０の線４１Ａ，４１Ｂ−４１Ａ，４１Ｂに沿ったアセンブリの断面図である。
【図４１Ｂ】図４０の線４１Ａ，４１Ｂ−４１Ａ，４１Ｂに沿ったアセンブリの斜視断面図である。
【図４２】図３９Ｂのアセンブリと類似の断面図であるが、凹穴から強く引き抜かれている取付アセンブリを示している。
【図４３】図４２に示される取付アセンブリの線４３−４３に沿った断面図である。
【図４４】図４２の取付アセンブリと類似の、図４３の線４４−４４に沿った断面図である。
【図４５】図４２のアセンブリと類似の断面図であり、取付アセンブリを凹穴から強くさらに引き抜く様子を示している。
【図４６】凹穴から取付アセンブリを回転的に取り外す様子を示している。
【発明を実施するための形態】
【０００９】
本明細書の開示は、当業者が本発明を実施できるように詳細かつ正確であるが、開示される本明細書の物理的な実施形態は、他の具体的な構造で実施され得る本発明を例示しているに過ぎない。好ましい実施形態について説明されるが、この詳細は、本発明から逸脱することなく変更され得る。
【００１０】
図１は、本発明による取付アセンブリ１０を示している。取付アセンブリ１０は、細長い結び部１２と相互作用する。本発明とともに使用するための細長い結び部１２は、ストラップまたは結び部後部１４と、結び部頭部１６と、を備えていてもよく、細長い束８０（図１２参照）のまわりに巻き付けて固定するのに使用され、それによって、束８０を取付アセンブリ１０へ固定してもよい。これは、次いで、支持部材１００（図１１〜１３参照）に固定される。本デバイスとともに使用するための束８０は、単一の物またはいくつかの物（例えば、ワイヤ、ケーブル、ホース、チューブ、または、他の細長い物品）からなっていてもよい。束８０は、個々のワイヤもしくはケーブル、剛性もしくは可撓性を有する電線管、高温もしくは低温流体移送チューブ、または、ホースの束を備えていてもよいことが明らかであろう。また、束８０は、従来のチューブ状電線管の穴内に収容されてもよい。同様に、束８０は、様々なサイズを有していてもよく、デバイス１０によって適合されてもよい。
【００１１】
図２および図３は、取付アセンブリ１０の斜視図である。図示されるように、取付アセンブリ１０は、頭部２０を有するマウント部材１８と、取付アセンブリ１０の頭部２０よりも下方に位置するスプリング部４０と、頭部２０およびスプリング部４０から下方に向けて延在する取付部５０と、を備えていてもよい。本アセンブリ１０において使用するためのマウント部材１８は、プラスチック、ナイロンなどからモールドされてもよい。これらの部位の各々について、次の図面に関してより詳細に説明する。
【００１２】
図示するように、頭部２０は、スロット２２を備えていてもよい。図１に示されるように、スロット２２は、結び部１２を受け入れるように構成される。スロット２２は、当接部８２を備えていてもよい。当接部８２は、結束中に可撓性結び部の後部１４がスロット２２内に挿入されたときに、可撓性結び部１２のための摩擦力を提供する。頭部２０は、さらに、結び部１２がスロット２２を通ってアセンブリ１０に固定された状態で、束８０のための支持を提供してもよい。スプリング部４０および取付部５０は、頭部２０から延在する。
【００１３】
図２および図３を参照すると、スプリング部４０は、概して、可撓性ディスクすなわちダイヤフラムスプリング４２を備えている。図示するように、ダイヤフラムスプリング４２は、好ましくは、頭部２０から下方に向けて延在する。ダイヤフラムスプリング４２は、頭部２０のところの第１の端部４４から第２の端部４６まで下方および外側に向けてテーパ状に形成されている。ダイヤフラムスプリング４２は、円形または円錐形であるものとして図示されている。ただし、その形状および構造は、スプリング部４０のための必要な抵抗を提供する任意の構成であってもよい。例えば、ダイヤフラムスプリング４２は、任意の数の側面を有するピラミッド形状からなっていてもよい。このピラミッド形状は、隣接する側面に接続される複数の側面の各々を有していてもよいし、有していなくてもよい。
【００１４】
図７〜１０を参照すると、取付部５０は、スプリング部４０に隣接する基端５４Ａと、基端５４Ａと反対側に位置する先端５４Ｂと、を有するスタッド部５２を主に備えているものとして理解され得る。スタッド部５２は、頭部２０から下方に向けて延在する。スタッド部５２は、スプリング部４０から下方に向けて延在していると捉えることもできる。しかしながら、スプリング部４０は、それがスタッド部５２の基端５４Ａを取り囲むとともに、スタッド部５２がスプリング部４０またはダイヤフラムスプリング４２から実質的に独立するように構成されてもよい。いずれの構成も本発明を限定するものとして捉えられるべきではなく、両方とも本発明の範囲内にある。
【００１５】
図２〜７を参照すると、スタッド部５２は、スタッド部５２の長さ方向寸法と実質的に同じように延在する中央部５６を備えている。中央部５６は、クリップ部材３０と結合係合するように構成される。説明されるアセンブリ１０とともに使用するためのクリップ部材３０は、引き抜き力に耐えるのに十分な剛性を有する任意の金属から製造されてもよい。図４〜６の図示から分かるように、取付アセンブリ１０ともに使用するためのクリップ部材３０は、一対の延在アーム３４を有する弓状部３２を備えている。アーム３４は、好ましくは、スタッド部５２上の適所に配置されるときに、角度付けられて、中央部５６から離れる方向に延在する（図７参照）。クリップ部材３０は、さらに、少なくとも１つの取付ウィンドウ３６を備えていてもよい。ウィンドウ３６は、スタッド部５２上に位置する斜面５８と係合し、それによって、クリップ部材３０をスタッド部５２に固定するように構成される。さらに、図６で分かるように、クリップ部材３０のアーム３４は、それぞれ、先端３８を備えていてもよい。図示されるように、先端３８は、後述するように、支持部材１００と係合するために角度付けられていてもよい。
【００１６】
図８〜１０は、クリップ部材３０をマウント部材のスタッド部５２に取り付ける方法を示している。図示されるように、スタッド部５２は、斜面５８が摺動してクリップ部材３０のウィンドウ３６内に入るまで矢印Ａの方向に移動される。斜面５８がウィンドウ３６内で係合されると、図１０で分かるように、クリップ部材３０は、スタッド部５２に固定され、マウント部材からの分離に抗う。
【００１７】
図１１〜１３は、図１〜１０に示されるアセンブリ１０を使用する方法を示している。図示されるように、アセンブリ１０は、矢印Ｂの方向に移動され、支持部材１００の凹穴１０２内に入る。アセンブリ１０がしっかりと取り付けられ、図１２に示されるようにスタッド部５２が凹穴１０２内へ挿入されると、ダイヤフラムスプリング４２は、支持面１００に当接して撓むことができ、取付アセンブリ１０のための密着取付構造を提供することができるような十分な面積を提供する。上述したように、ダイヤフラムスプリング４２は、円形として示されているが、可撓性を有する任意の幾何学的設計または形状がダイヤフラムスプリング４２として作用することができることが理解されるべきである。さらに分かるように、クリップ部材３０のアーム３４は、穴１０２の壁部１０４と係合して引き抜きに抗う。図１３は、アセンブリ１０を穴１０２から引き抜く方法を示している。図示されるように、アセンブリ１０が矢印Ｃの方向に回転されるときに、アーム３４の先端３８は、凹穴１０２の壁部１０４にネジ部１０６を形成する。アーム３４の先端３８は、ネジ部１０６上に乗り、デバイス１０は、矢印Ｄの方向に穴１０２から外部へ移動する。
【００１８】
図１４は、アセンブリ１０Ａの他の実施形態を示している。図示されるように、取付アセンブリ１０Ａの頭部２０Ａは、物体支持面９２を有する一体的に形成されたサドルマウント９０と、支持面９２よりも下方に位置するスプリング部４０と、支持面９２およびスプリング部４０から下方に向けて延在する取付部５０と、を備えていてもよい。
【００１９】
図１５〜２７は、本発明による取付アセンブリ１０Ｂの他の実施形態を示している。上述した実施形態と同様に、これらの図に示されるデバイス１０Ｂは、細長い束８０（図１２参照）のまわりに巻き付けて固定するのに使用するための結び部頭部１６と結び部後部１４とを有する細長い結び部１２と相互作用し、それによって、束８０を取付アセンブリ１０Ｂに固定するように構成される。これは、次いで、支持面１００（図２５〜２７参照）に固定される。上述した実施形態と同様に、本デバイスとともに使用するための束８０は、単一の物体またはいくつかの物体（例えば、ワイヤ、ケーブル、ホース、チューブ、または、他の細長い物）からなっていてもよい。同様に、束８０は、様々なサイズを有していてもよく、また、アセンブリ１０Ｂによって適合されてもよい。
【００２０】
図１６および図１７は、取付アセンブリ１０Ｂの斜視図である。図示されるように、上述の実施形態と同様に、取付アセンブリ１０Ｂは、頭部２０Ｂを有するマウント部材と、取付デバイス１０Ｂの頭部２０Ｂよりも下方に位置するスプリング部４０と、頭部２０Ｂおよびスプリング部４０から下方に向けて延在する取付部５０と、を備えていてもよい。
図示されるように、頭部２０Ｂは、結び部１２を受け入れるように構成されたスロット２２（図１５参照）を備えていてもよい。スロット２２は、当接部８２を備えていてもよい。当接部８２は、結び部後部１４がスロット２２内に挿入されたときに可撓性結び部１２のための摩擦力を提供する。頭部２０Ｂは、さらに、結び部１２がスロット２２を通ってデバイス１０に固定された状態で、束ねられた束８０のための支持を提供してもよく、また、ねじ回し（図示せず）または他の平坦ブレード器具によって使用するための溝２４を備えていてもよい。スプリング部４０および取付部５０は、頭部２０Ｂから延在する。
【００２１】
図１６および図１７を参照すると、上述の実施形態について説明したように、スプリング部４０は、概して、可撓性ディスクすなわちダイヤフラムスプリング４２を備えている。ダイヤフラムスプリング４２は、好ましくは、頭部２０Ａから下方に向けて延在するとともに、頭部２０Ｂのところに位置する第１の端部４４から下方および外側に向けて第２の端部４６まで延在する。上述した実施形態と同様に、図１５〜２７について示されるダイヤフラムスプリング４２は、円形または円錐形であるものとして示されるが、その形状および構造は、スプリング部４０のための必要な抵抗を提供する任意の構成を有していてもよい。
【００２２】
図２１〜２４を参照すると、取付部５０は、スプリング部４０に隣接する基端５４Ａと、基端５４Ａと反対側の先端５４Ｂと、を有するスタッド部５２Ａを主に備えるものとして理解できる。スタッド部５２Ａは、頭部２０Ｂから下方に向けて延在する。スタッド部５２Ａは、スプリング部４０から下方に向けて延在するものとして捉えることもできる。しかしながら、スプリング部４０は、それがスタッド部５２Ａの基端５４Ａを取り囲み、スタッド部５２Ａがスプリング部４０またはダイヤフラムスプリング４２から実質的に独立するように構成されてもよい。いずれの構成も本発明を限定するものとして捉えられるべきではない。
【００２３】
図１６〜２１を参照すると、スタッド部５２Ａは、スタッド部５２Ａの長さ方向寸法と実質的に同様に延在する中央部５６Ａを備えている。中央部５６Ａは、クリップ部材３０Ａとの結合係合するように構成される。図１８〜２０の図示で分かるように、取付アセンブリ１０Ｂとともに使用するためのクリップ部材３０Ａは、一対の延在アーム３４Ａを有する弓状部３２Ａを備えている。特に図１８および図１９で分かるように、アーム３４Ａは、それぞれ、返し部９８を備えていてもよい。返し部９８は、スタッド部５２Ａに位置する切欠部６０と係合し、それによって、クリップ部材３０Ａをスタッド部５２Ａに固定するように構成される。また、アーム３４Ａは、図２０で分かるように、角度付けられた先端３８Ａを備えていてもよい。角度付けられた先端３８は、支持部材１００との係合を補助する。
【００２４】
図２２〜２４の図示は、クリップ部材３０Ａをマウント部材のスタッド部５２Ａに取り付ける方法を示している。図示されるように、スタッド部５２Ａは、返し部９８が摺動してマウント部材のスタッド部５２Ａの切欠部６０内に入るまで矢印Ａの方向に移動される。返し部９８が切欠部６０に着座されると、図２４で分かるように、クリップ部材３０Ａは、マウント部材のスタッド５２Ａに固定され、そこからの分離に抗う。
【００２５】
図２５〜２７は、図１５〜２４に示されるアセンブリ１０Ｂの使用方法を示している。図示されるように、アセンブリ１０Ｂは、矢印Ｂの方向に移動され、支持部材１００の凹穴１０２内に入る。図２６に示されるようにアセンブリ１０Ｂがしっかりと取り付けられると、スタッド部５２Ａが凹穴１０２内に挿入されたときに、ダイヤフラムスプリング４２は、支持面１００に当接して撓むことができ、取付アセンブリ１０Ｂのための密着取付構造を提供することができるような十分な面積を提供する。上述したように、ダイヤフラムスプリング４２は、円形であるものとして示されているが、任意の可撓性を有する幾何学的設計または形状がダイヤフラムスプリング４２として作用することができることが理解されるべきである。さらに、クリップ部材３０Ａのアーム３４Ａの先端３８Ａは、穴１０２の壁部１０４と係合して、引き抜きに抗う。図２７に示されるように、アセンブリ１０Ｂは、凹穴１０２内で使用されてもよい。図２７は、穴１０２からアセンブリ１０Ｂを引き抜く方法を示している。図示されるように、また、上述の実施形態と同様に、デバイス１０Ｂが矢印Ｃの方向に回転されるときに、アーム３４Ａの先端３８Ａは、凹穴１０２の壁部１０４にネジ部１０６を形成する。アーム３４Ａの先端３８Ａは、ネジ部１０６上に乗り、デバイス１０Ｂは、矢印Ｄの方向に穴１０２から外部へ移動する。
【００２６】
図２８は、本発明による他の取付アセンブリ１０Ｃの分解図であり、代替のクリップ部材３０Ｂと、マウント部材の代替の頭部２０Ｃと、を示している。図示されるように、頭部２０Ｃは、使用中に操作を容易にするための、少なくとも１つの横方向に延在するウィング部材９４を備えている。上述した実施形態と同様に、図２８に示されるアセンブリ１０Ｃは、細長い束８０（図１２参照）のまわりに巻き付けて固定するのに使用するための細長い結び部１２と相互作用し、それによって、束８０を取付アセンブリ１０Ｃに固定するように構成される。これは、次いで、支持面１００（例えば、図２５〜２７参照）に固定される。さらに、取付アセンブリ１０Ｃは、マウント部材の頭部２０Ｃよりも下方に位置するスプリング部４０と、頭部２０Ｃおよびスプリング部４０から下方に向けて延在するスタッド部５２と、を備えていてもよい。上述した実施形態と同様に、頭部２０Ｃは、結び部１２を受け入れるように構成されたスロット２２を備えていてもよい（図１５参照）。中央部５６を有するスタッド部５２は、クリップ部材３０Ｂと結合係合するように構成される。この図のクリップ部材３０Ｂは、一対の延在アーム３４Ｂを有する弓状部３２を備えている。一対の延在アーム３４Ｂは、好ましくは、角度付けられて、中央部５６から離れる方向に延在し、また、丸い先端３８Ｂを備えている。図１〜１３に示される実施形態と同様に、この図のクリップ部材３０Ｂは、さらに、スタッド部５２に位置する斜面５８と係合し、それによって、クリップ部材３０をマウント部材のスタッド部５２に固定するように構成された少なくとも１つの取付ウィンドウ３６を備えていてもよい。
【００２７】
図２９は、本発明による他の取付アセンブリ１０Ｄの斜視図であり、図２８に示されるクリップ部材３０Ｂを示しているが、代替の頭部２０Ｄを備えている。図示されるように、頭部２０Ｄは、六角形の形状を有していてもよく、また、六角レンチ（図示せず）または他の器具を受け入れるために六角凹部９６を備えていてもよい。
【００２８】
図３０は、本発明による他の取付アセンブリ１０Ｅの斜視図であり、図２８および図２９に示されるクリップ部材３０Ｂを示しているが、代替の頭部２０Ｅを備えている。図示されるように、頭部２０Ｄは、六角形の形状を有していてもよく、また、ソケット（図示せず）または他の器具を受け入れるために正方形凹部９６Ａをさらに備えていてもよい。
【００２９】
図３１および図３２は、取付アセンブリ１０，１０Ａ，１０Ｃ，１０Ｄ，１０Ｅまたは斜面５８を有する中央部５６を備えるスタッド部５２を備える他の取付デバイスとともに使用するための他のクリップ部材３０Ｃを示している。斜面５８は、クリップ部材３０Ｃのウィンドウ３６と係合するように構成される。図示されるように、これらの図におけるクリップ部材３０Ｃは、一対の延在アーム３４Ｃを有する弓状部３２を備えている。延在アーム３４Ｃは、好ましくは、角度付けられて、中央部５６から離れる方向に延在する。アーム３４Ｃは、それぞれ、湾曲した先端３８Ｃを備えている。上述した実施形態と同様に、クリップ部材３０Ｃは、さらに、スタッド部５２の斜面５８と係合し、それによって、クリップ部材３０Ｃをスタッド部５２に固定するように構成された少なくとも１つの取付ウィンドウ３６を備えていてもよい。図３２で分かるように、アーム３４Ｃの先端３８Ｃは、支持部材１００と係合するため、また、取り外すときに自身がネジになるために、角度付けられた輪郭を備えている。
【００３０】
図３３〜４６の図示は、本発明による取付アセンブリ１０Ｆの他の実施形態を示している。上述した実施形態と同様に、これらの図示の取付アセンブリ１０Ｆは、角度付けられ、細長い束８０（図３９Ａに透視で示されている）を巻いて固定するために細長い結び部１２と相互作用するように構成される。取付アセンブリ１０Ｆは、凹穴１０２を有する支持部材１００に固定されてもよい（図３８〜４４参照）。上述した実施形態と同様に、取付アセンブリ１０Ｆとともに使用するための束８０は、単一の物体またはいくつかの物体（例えば、ワイヤ、ケーブル、ホース、チューブ、または、他の細長い物）からなっていてもよいことが理解されるべきである。さらに、束８０は、個々のワイヤもしくはケーブル、剛性もしくは可撓性を有する電線管、高温もしくは低温流体移送チューブ、または、ホースの束を備えていてもよい。また、束８０は、従来のチューブ状電線管の穴内に収容されてもよい。同様に、束８０は、様々なサイズを有していてもよく、アセンブリ１０Ｆによって適合されてもよい。
【００３１】
図３３は、取付アセンブリ１０Ｆの斜視図である。図示されるように、取付アセンブリ１０Ｆは、マウント部材１８とクリップ部材３０Ｆとを備えていてもよい。マウント部材１８は、頭部２０Ｆと、頭部２０Ｆから下方に向けて延在する取付部５０と、を備えている。図示されるように、頭部２０Ｆは、好ましくは、上述したように、また、図３９Ａに示されるように、結び部１２を受け入れるように構成されたスロット２２を備えている。さらに図示されるように、頭部２０Ｆは、結び部１２がスロット２２を通って固定された状態で束８０を支持するように構成された上面２６と、周方向に延在するフランジ２８と、を備えていてもよい。頭部２０Ｆは、図３４で最もよく分かるように略六角形の形状を有していてもよいが、頭部２０Ｆに他の形状特性を付与することも本発明の範囲内である。頭部２０Ｆは、必要に応じて、スプリング部４０（これらの図では図示せず）を備えている。
【００３２】
特に図３５を参照すると、マウント部材１８の取付部５０は、頭部２０Ｆに隣接する基端５４Ａと、基端５４Ａと反対側の先端５４Ｂと、を有するスタッド部５２を主に備えているものとして理解できる。スタッド部５２は、頭部２０Ｆから下方に向けて延在する。スタッド部５２は、フランジ２８から下方に向けて延在すると捉えることもできる。ただし、フランジ２８は、それがスタッド部５２の基端５４Ａを取り囲み、スタッド部５２がフランジ２８から実質的に独立するように構成されてもよい。いずれかの構成が本発明を限定するものとして捉えられるべきではなく、両方が本発明の範囲内にある。図３５をさらに参照すると、スタッド部５２は、スタッド部５２の長さ方向寸法と同じように延在する中央部５６を備えている。中央部５６は、好ましくは、後述するように、クリップ部材３０Ｆと結合係合するように構成されたマウント開口６２を備えている。
【００３３】
取付アセンブリ１０Ｆとともに使用するためのクリップ部材３０Ｆは、特に図３６および図３７の図示において理解できる。図示されるように、クリップ部材３０Ｆは、一対の延在アーム３４Ｆを有する弓状部３２を備えている。アーム３４Ｆは、好ましくは、スタッド部５２上の適所に配置されるときに、角度付けられ、中央部５６から離れる方向に延在する（図３３参照）。クリップ部材３０Ｆは、さらに、内向きに角度付けられた係止タブ６４を有する少なくとも１つの取付ウィンドウ３６Ｆを備えていてもよい。ウィンドウ３６Ｆおよび係止タブ６４は、スタッド部５２に位置するマウント開口６２と係合し、それによって、クリップ部材３０Ｆをスタッド部５２に固定し、使用中に部品３０Ｆ，５２が分離することに抗うように構成される。図３６および図３７でさらに分かるように、クリップ部材３０Ｆの各アーム３４Ｆは、分岐した先端３８Ｆを備えている。図示されるように、各先端３８Ｆは、進入歯６６と制限ショルダ６８とを備えている。進入歯６６は、支持部材１００と係合するために角度付けられていてもよく、一方、制限ショルダ６８は、後述するように、相対的に直立した位置に傾けられている。
【００３４】
図３８〜４５は、図３３〜３７に示されるアセンブリ１０Ｆを使用する方法を示している。図３８に示されるように、アセンブリ１０Ｆは、矢印Ｂの方向に移動され、支持部材１００の凹穴１０２内に入る。図３９Ａおよび図３９Ｂは、スタッド部５２が凹穴１０２内へ挿入された状態でしっかりと取り付けられたアセンブリ１０Ｆを示している。図３９Ａに透視で示されるように、結び部１２は、スロット２２を貫通して束８０の周りを通されてもよい。束は、頭部２０Ｆの上面２６上で支持される。さらに、図３９Ａ〜４１Ｂの図示は、クリップ部材３０Ｆの各アーム３４Ｆの進入歯６６および制限ショルダ６８が、穴１０２の壁部１０４と係合して、使用中の引き抜きに抗うことを示している。進入歯６６は、限られた深さだけ穴１０２の壁部１０４内に埋め込まれ、それによって、所定の保持強度が提供される。図３９Ｂは、穴１０２Ａが角度付けられた構成を有していることをさらに示している。
【００３５】
図４２〜４５は、抜き出す際にアセンブリ１０Ｆの一体性を維持しつつ、アセンブリ１０Ｆを穴１０２から強く引き抜く方法を示している。図４２に示されるように、アセンブリ１０Ｆは、矢印Ｅの方向に軸線方向に引っ張られ、各アーム３４Ｆの進入歯６６は、穴１０２の壁部１０４に当接した状態で外向きに変形し始め、取り外されることに抗う。図４３および図４４は、クリップ部材３０Ｆ上での引き抜き動作を示している。図示されるように、制限ショルダ６８も、変形している進入歯６６と同様に、穴１０２の壁部１０４に接触する。継続される軸線方向の強い引き抜きが図４５に示されている。図４５は、所定の保持強度を超え、各進入歯６６が穴１０２の壁部１０４内へさらに進入したときに、各進入歯６６がさらに変形した状態を示している。制限ショルダ６８は、進入歯６６が穴１０２の壁部１０４内へさらに進入することを防止する。ピーク破壊荷重において、進入歯６６は、図４５に示されるように曲がり、アセンブリ１０Ｆが穴１０２から完全に引き出されることが許容される。進入歯６６が穴１０２の壁部１０４内へ進入できる深さを制限するための制限ショルダ６８の動作によって、アセンブリ１０Ｆが、クリップ部材３０Ｆがスタッド部５２から分離されるリスクなしに成功的に穴１０２から引き出されることが許容される。
【００３６】
アセンブリ１０Ｆを穴１０２から引き出す他の方法は、図４６の図示で理解され得る。図示されるように、アセンブリ１０Ｆは、各アーム３４Ｆの進入歯６６が穴１０２の壁部１０４に接触したままの状態で、矢印Ｆの方向に回転される。この接触によって、凹穴１０２の壁部１０４上にネジ部１０６が形成される。各進入歯６６は、ネジ部１０６上に乗り、デバイス１０Ｆは、矢印Ｇの方向に移動して穴１０２から出る。
【００３７】
上述の説明は、本発明の原理の単なる例示として捉えられる。さらに、当業者には、多数の修正および変更が容易に生じるので、図示され説明された構成および動作そのものに本発明を限定することを望んでいない。好ましい実施形態について説明してきたが、その詳細は、特許請求の範囲によって定義される本発明から逸脱することなく変更され得る。
【符号の説明】
【００３８】
１０…取付アセンブリ
１２…結び部
１４…結び部後部
１６…結び部頭部
１８…マウント部材
２０…頭部
２２…スロット
２４…溝
２６…上面
２８…フランジ
３０…クリップ部材
３２…弓状部
３４…延在アーム
３６…取付ウィンドウ
３８…先端
４０…スプリング部
４２…ダイヤフラムスプリング
４４…第１の端部
４６…第２の端部
５０…取付部
５２…スタッド部
５６…中央部
５８…斜面
６０…切欠部
６２…マウント開口
６４…係止タブ
６６…進入歯
６８…制限ショルダ
８０…束
８２…当接部
９０…サドルマウント
９２…物体支持面
９４…ウィング部材
９６…六角凹部
９８…返し部
１００…支持部材
１０２…凹穴
１０４…壁部
１０６…ネジ部
【図１】
0006602956.tif 000002
【図２】
0006602956.tif 000003
【図３】
0006602956.tif 000004
【図４】
0006602956.tif 000005
【図５】
0006602956.tif 000006
【図６】
0006602956.tif 000007
【図７】
0006602956.tif 000008
【図８】
0006602956.tif 000009
【図９】
0006602956.tif 000010
【図１０】
0006602956.tif 000011
【図１１】
0006602956.tif 000012
【図１２】
0006602956.tif 000013
【図１３】
0006602956.tif 000014
【図１４】
0006602956.tif 000015
【図１５】
0006602956.tif 000016
【図１６】
0006602956.tif 000017
【図１７】
0006602956.tif 000018
【図１８】
0006602956.tif 000019
【図１９】
0006602956.tif 000020
【図２０】
0006602956.tif 000021
【図２１】
0006602956.tif 000022
【図２２】
0006602956.tif 000023
【図２３】
0006602956.tif 000024
【図２４】
0006602956.tif 000025
【図２５】
0006602956.tif 000026
【図２６】
0006602956.tif 000027
【図２７】
0006602956.tif 000028
【図２８】
0006602956.tif 000029
【図２９】
0006602956.tif 000030
【図３０】
0006602956.tif 000031
【図３１】
0006602956.tif 000032
【図３２】
0006602956.tif 000033
【図３３】
0006602956.tif 000034
【図３４】
0006602956.tif 000035
【図３５】
0006602956.tif 000036
【図３６】
0006602956.tif 000037
【図３７】
0006602956.tif 000038
【図３８】
0006602956.tif 000039
【図３９Ａ】
0006602956.tif 000040
【図３９Ｂ】
0006602956.tif 000041
【図４０】
0006602956.tif 000042
【図４１Ａ】
0006602956.tif 000043
【図４１Ｂ】
0006602956.tif 000044
【図４２】
0006602956.tif 000045
【図４３】
0006602956.tif 000046
【図４４】
0006602956.tif 000047
【図４５】
0006602956.tif 000048
【図４６】
0006602956.tif 000049